(57)【要約】【課題】アンテナ機能を一体的に備えたテレビジョンにおける受信性能が低かった。【解決手段】放送信号を受信するためのアンテナ機能を一体的に備え、当該アンテナ機能によって受信した放送信号から所定の周波信号を抽出し、当該周波信号から映像信号を生成し、当該映像信号に基づく映像表示を行うテレビジョンにおいて、上記テレビジョンのキャビネットを構成する壁の内外面および又は当該キャビネットに内蔵された部品の非金属性の表面における複数の位置において、対応する面に沿った形状でそれぞれ形成された複数のアンテナ素子からなる、複数の可変な指向性を有するアンテナ素子群と、上記アンテナ素子群による指向性を限定してアンテナ素子群に放送信号を受信させる切替制御部とを備える構成とした。【選択図】図２
2009094865.tif 000002
【特許請求の範囲】
【請求項１】
放送信号を受信するためのアンテナ機能を一体的に備え、当該アンテナ機能によって受信した放送信号から所定の周波信号を抽出し、当該周波信号から映像信号を生成し、当該映像信号に基づく映像表示を行うテレビジョンにおいて、
上記テレビジョンのキャビネットを構成する壁の内外面および又は当該キャビネットに内蔵された部品の非金属性の表面における複数の位置において、対応する面に沿った形状でそれぞれ形成された複数のアンテナ素子からなる、複数の可変な指向性を有するアンテナ素子群と、
上記アンテナ素子群による指向性を限定してアンテナ素子群に放送信号を受信させる切替制御部とを備えることを特徴とするテレビジョン。
【請求項２】
複数のアンテナ素子の少なくとも一部を、上記キャビネットの後壁の内面に形成したことを特徴とする請求項１に記載のテレビジョン。
【請求項３】
複数のアンテナ素子の少なくとも一部は、略水平に配向して形成されていることを特徴とする請求項１または請求項２のいずれかに記載のテレビジョン。
【請求項４】
複数のアンテナ素子の少なくとも一部は、略垂直に配向して形成されていることを特徴とする請求項３に記載のテレビジョン。
【請求項５】
各アンテナ素子はそれぞれ双極子状の金属素材を対応する面に付着させることにより形成されていることを特徴とする請求項１〜請求項４のいずれかに記載のテレビジョン。
【請求項６】
上記切替制御部は、各アンテナ素子から入力される各放送信号の位相を調整し、当該調整後の各信号を合成して合成信号を生成し、当該合成信号から抽出される周波信号におけるエラーレートを検出する処理を、各アンテナ素子からの放送信号に対する位相の調整量を夫々変更して複数回実行するとともに、最小のエラーレートが検出された回の位相の調整量を採用して各アンテナ素子からの各放送信号の位相を調整することによりアンテナ素子群による指向性を限定することを特徴とする請求項１〜請求項５のいずれかに記載のテレビジョン。
【請求項７】
放送信号を受信するためのアンテナ機能を一体的に備え、当該アンテナ機能によって受信した放送信号から所定の周波信号を抽出し、当該周波信号から映像信号を生成し、当該映像信号に基づく映像表示を行う液晶テレビジョンにおいて、
上記液晶テレビジョンのリアキャビネットを構成する後壁と上壁と左右側壁との各内面からなる連続する面領域上で略左右対称に点在する６つ以上の位置において、対応する面に沿って双極子状の金属箔を貼り付けることによりそれぞれ形成された６つ以上のアンテナ素子からなる、複数の可変な指向性を有するアンテナ素子群と、
上記アンテナ素子群による指向性を限定してアンテナ素子群に放送信号を受信させる切替制御部とを備え、
各アンテナ素子のうち位置が略左右対称な関係にある少なくとも１組のアンテナ素子は、リアキャビネットの後壁の内面において、略水平に配向して形成され、
上記切替制御部は、各アンテナ素子から入力される各放送信号の位相を調整し、当該調整後の各信号を合成して合成信号を生成し、当該合成信号から抽出される周波信号におけるエラーレートを検出する処理を、各アンテナ素子からの放送信号に対する位相の調整量を夫々変更して複数回実行するとともに、最小のエラーレートが検出された回の位相の調整量を採用して各アンテナ素子からの各放送信号の位相を調整することによりアンテナ素子群による指向性を限定することを特徴とする液晶テレビジョン。
【発明の詳細な説明】
【技術分野】
【０００１】
本発明は、アンテナ機能を一体的に備えたテレビジョンに関する。
【背景技術】
【０００２】
従来から、左右２本のループ状アンテナからなる受信部を、前面キャビネットの外周部分、ＣＲＴのフェース面、またはＣＲＴのファンネル部分に貼り付け、或いは、インサート成形によって前面キャビネットと一体に形成した、テレビジョン受像機が知られている（特許文献１参照。）。
また、２つの電子的に同調可能な開口導波管アンテナが受像機に内蔵もしくは装着され、当該２つのアンテナは位相合成ダイバーシティ受信を行う、デジタルテレビジョン放送受像機が知られている（特許文献２参照。）。
【０００３】
また、筺体の周面を廻る環状の放送受信用アンテナ素子を備えた携帯電話機が知られている（特許文献３参照。）。
また、ディスプレイ端末上に配置されて無線周波信号を受信機に結合するアンテナを備えた電子装置が知られている（特許文献４参照。）。
また、ケース内部の各回路基板にアンテナおよびアンテナ用のグランドパターンを設けた携帯型情報端末（ＰＤＡ）が知られている（特許文献５参照。）。
【特許文献１】特開平１１‐３０８５５４号公報
【特許文献２】特開２００５‐１０２１４２号公報
【特許文献３】特開２００６‐１３６２９号公報
【特許文献４】特開平５‐３３５８２６号公報
【特許文献５】特開２００３‐１４３０３０号公報
【発明の開示】
【発明が解決しようとする課題】
【０００４】
テレビジョン本体と一体的にアンテナが備えられている場合、その受信能力が問題となる。つまりテレビジョン本体は、室内においてユーザの所望する場所に自由な方向で設置されるものであるから、テレビジョン本体と一体的なアンテナが向く方向も、あらゆる方向が想定される。かかる状況において、室内に設置されたテレビジョン本体の向き次第で、アンテナによる放送信号の受信感度が大きく変ってしまうようでは、製品としての品質や信頼性は著しく低いものとなる。つまり、アンテナを一体的に備えるテレビジョンにおいては、テレビジョン本体の設置方向がどのような方向であったとしても、そのとき所望されている（選局されている）チャンネルの放送信号を良好な感度で受信し、かつ不要な信号は拾わないという、高度な受信性能が求められる。
【０００５】
ここで、上記文献１に開示されたテレビジョン受像機は、左右２本のループ状アンテナでテレビを受信するだけであるため、テレビジョン受像機の設置向き次第で受信感度は大きく落ち込んでしまい、到底、ユーザが求める上記受信性能を満足するものでは無かった。
また、上記文献２においては、その図１，６などからも明らかなように、左右２つの開口導波管アンテナは、デジタルテレビジョンの筺体内において、広くかつ筺体の厚み方向においてかなりの高さを有するものである。従って、当該開口導波管アンテナを筺体に内蔵すると、筺体の厚みに大きく響いてしまい、今日求められるテレビジョン製品の薄型化という要請に十分に応えることは難しかった。さらに、開口導波管アンテナが高さ等を有して巨大である分、筺体内における他の部品の設計や取り付け位置の自由度を低下させてしまうという課題もあった。
また、上記文献３〜５も、テレビジョンに求められる上記受信性能の課題を解決するものではなかった。
【０００６】
本発明は上記課題にかんがみてなされたもので、テレビジョンの設置方向によることなく、そのとき所望されている放送信号を良好な感度で受信し且つ不要な信号は拾わない高度な受信性能を実現し、同時に、テレビジョンの薄型化、筺体内部の各種部品の設計や取り付け位置の自由度の向上、等を実現することの可能なテレビジョンおよび液晶テレビジョンを提供することを目的とする。
【課題を解決するための手段】
【０００７】
上記目的を達成するため、本発明のテレビジョンは、放送信号を受信するためのアンテナ機能を一体的に備え、当該アンテナ機能によって受信した放送信号から所定の周波信号を抽出し、当該周波信号から映像信号を生成し、当該映像信号に基づく映像表示を行う。ここで、テレビジョンは、キャビネットを構成する壁の内外面および又は当該キャビネットに内蔵された部品の非金属性の表面における複数の位置において、対応する面に沿った形状でそれぞれ形成された複数のアンテナ素子からなる、複数の可変な指向性を有するアンテナ素子群を有する。そして、切替制御部が、アンテナ素子群による指向性を限定してアンテナ素子群に放送信号を受信させる。
【０００８】
すなわち本発明によれば、キャビネットを構成する壁の内外面および又は当該キャビネットに内蔵された部品の非金属性の表面における複数の位置に、面に沿った形状で複数のアンテナ素子を形成するという態様にてテレビジョンとアンテナとを一体化した。かかる複数のアンテナ素子はそれぞれ異なる位置に存在するため指向性もそれぞれ異なり、その結果、アンテナ素子群としては、様々な方向に指向性を切り替えることが可能となる。従って、切替制御部がアンテナ素子群による指向性をそのとき選局されているチャンネルの放送を受信するために最適な指向性に限定することにより、テレビジョン自体の設置態様によらず常に良好な感度にて目的の放送信号を受信することができる。また、各アンテナ素子は、面に沿って形成されているため、キャビネット内の他の部品の邪魔になることも無い。
【０００９】
複数のアンテナ素子の少なくとも一部は、上記キャビネットの後壁の内面に形成するとしてもよい。アンテナ素子は、その面積をできるだけ広くかつ多数の位置に配置することが、あらゆる方向に対して受信感度を良好にする上で望ましい。キャビネットの後壁はキャビネットを構成する壁面の中でも最も広く、かつキャビネット内において他の部品の邪魔にならないスペースも多く有しているため、かかる後壁の内面にアンテナ素子を形成すれば、受信性能の向上とテレビジョン内部の設計との両方の面で好ましい。
【００１０】
複数のアンテナ素子の少なくとも一部は、略水平に配向して形成されているとしてもよい。テレビジョン放送信号は、水平偏波であることが多いため、複数のアンテナ素子を略水平に配向しておけば、テレビジョン放送信号を良好に受信することができる。ただし、垂直偏波に対しても受信性能を良好なものとするために、略水平に配向するアンテナ素子を有しつつ、他のアンテナ素子の少なくとも一部は、略垂直に配向して形成するとしてもよい。
【００１１】
各アンテナ素子は、それぞれ双極子（ダイポール）状の金属素材を対応する面に付着させることにより形成されているとしてもよい。かかる構成とすれば、アンテナ素子はキャビネット内において殆ど体積を要しないため、他の部品の邪魔になることも無く、キャビネットの薄型化に大きく貢献する。また、各アンテナ素子はダイポール状であるため、的確に放送信号を受信することができる。
【００１２】
上記切替制御部は、各アンテナ素子から入力される各放送信号の位相を調整し、当該調整後の各信号を合成して合成信号を生成し、当該合成信号から抽出される周波信号におけるエラーレートを検出する処理を、各アンテナ素子からの放送信号に対する位相の調整量を夫々変更して複数回実行するとともに、最小のエラーレートが検出された回の位相の調整量を採用して各アンテナ素子からの各放送信号の位相を調整することによりアンテナ素子群による指向性を限定するとしてもよい。当該構成によれば、アンテナ素子群を、いわゆるスマートアンテナと同等のものとして扱うことができ、アンテナ素子群における指向性を順次切り替えて信号中のエラーレートを検出し、エラーレートが最も小さかったときの指向性を採用して、放送信号を受信する。
【００１３】
本発明にかかる技術的思想は、より具体的な液晶テレビジョンという製品に対しても適用可能である。そこで、上述したテレビジョンの各特徴を含みさらに具体的な発明として、放送信号を受信するためのアンテナ機能を一体的に備え、当該アンテナ機能によって受信した放送信号から所定の周波信号を抽出し、当該周波信号から映像信号を生成し、当該映像信号に基づく映像表示を行う液晶テレビジョンにおいて、上記液晶テレビジョンのリアキャビネットを構成する後壁と上壁と左右側壁との各内面からなる連続する面領域上で略左右対称に点在する６つ以上の位置において、対応する面に沿って双極子状の金属箔を貼り付けることによりそれぞれ形成された６つ以上のアンテナ素子からなる、複数の可変な指向性を有するアンテナ素子群と、上記アンテナ素子群による指向性を限定してアンテナ素子群に放送信号を受信させる切替制御部とを備え、各アンテナ素子のうち位置が略左右対称な関係にある少なくとも１組のアンテナ素子は、リアキャビネットの後壁の内面において、略水平に配向して形成され、上記切替制御部は、各アンテナ素子から入力される各放送信号の位相を調整し、当該調整後の各信号を合成して合成信号を生成し、当該合成信号から抽出される周波信号におけるエラーレートを検出する処理を、各アンテナ素子からの放送信号に対する位相の調整量を夫々変更して複数回実行するとともに、最小のエラーレートが検出された回の位相の調整量を採用して各アンテナ素子からの各放送信号の位相を調整することによりアンテナ素子群による指向性を限定する、構成を把握することができる。
【００１４】
このような、より具体的な構成においても、上述したテレビジョンと同様の作用および効果を発揮する。
【発明を実施するための最良の形態】
【００１５】
以下の順序に従って、各図面を参照しながら本発明の実施形態を説明する。
（１）テレビジョンにおけるアンテナ素子の配置
（２）放送信号の受信処理
（３）まとめ
【００１６】
（１）テレビジョンにおけるアンテナ素子の配置
図１は、本実施形態にかかるテレビジョン１０の外観を、前側から斜視図により例示している。テレビジョン（以下、ＴＶと略す）１０の外観は、概略、ＴＶ１０のキャビネット（筺体）２０と、キャビネット２０内に収容されつつ表示面を外部に露出させた表示パネル３０とからなる。キャビネット２０は、表示パネル３０の上下左右の縁部を前側から覆うフロントキャビネット４０と、表示パネル３０およびその他のＴＶ１０内部の各種部品を後側から覆うリアキャビネット５０とからなる。
【００１７】
本実施形態では、表示パネル３０は薄型の液晶パネルとしている。液晶パネルを採用する点で、ＴＶ１０は液晶ＴＶであると言える。ただし、ＴＶ１０が内部に収容する薄型の表示パネル（ディスプレイ）は、液晶パネルに限られず、プラズマディスプレイパネルや、有機ＥＬディスプレイ等、種々の表示パネルを採用可能である。
【００１８】
ＴＶ１０は、テレビジョン放送信号を受信するための複数のアンテナ素子を一体的に備えている。ＴＶ１０がアンテナ素子を形成する位置は、キャビネット２０を構成する壁の内面や外面、さらにはキャビネット２０に内蔵された部品の非金属性の表面など様々である。以下では、ＴＶ１０におけるアンテナ素子の配置の好ましい幾つかの例を説明する。
【００１９】
図２は、リアキャビネット５０を前側から示している。
リアキャビネット５０は、概略、後壁５１と、後壁５１の左右の端部からそれぞれ前側に延出する左側壁５２および右側壁５３と、後壁５１の上下の端部からそれぞれ前側に延出する上壁５４および下壁５５と、からなる。後壁５１は、キャビネット２０の後壁とも言える。
【００２０】
図２では、リアキャビネット５０の内面（ＴＶ１０の内部に向く面）に、複数のアンテナ素子６０を略左右対称に点在させて形成した場合を示している。
具体的には、後壁５１の内面上において略左右対称に点在する６箇所にそれぞれアンテナ素子６０を形成している。この場合、アンテナ素子６０は、後壁５１の内面上の左側領域において３つの異なる高さ位置にそれぞれ形成され、かつ、後壁５１の内面上の右側領域において３つの異なる高さ位置にそれぞれ形成される。
【００２１】
図３は、アンテナ素子６０の一例を示している。アンテナ素子６０は、所定の金属素材をアンテナ素子６０の形成位置となる面（例えば、後壁５１の内面）に沿わせて双極子状に貼り付け、あるいは塗り付ける等して形成された素子部６１，６１と、各素子部６１，６１と接続する導線６２，６２とから構成される。つまり各アンテナ素子６０は、それぞれがダイポールアンテナとして機能すると言える。対応する面へのアンテナ素子６０（素子部６１）の形成方法は様々であり、例えば、銅箔などの金属箔を対応面に貼り付けたり、導線の集合体を対応面に貼り付けたり、金属素子を対応面にプリントしたり、導電ペイントを対応面に塗り付ける等して、実現される。従って、アンテナ素子６０の形成位置となる面が曲面状であれば、それに合わせて素子部６１も曲面状となる
【００２２】
各アンテナ素子６０から延出する導線６２は、それぞれ出力調整部７０に接続している。出力調整部７０の配設位置は、図２において二点鎖線で示すように後壁５１の内面上の所定位置（例えば、略中心位置）であってもよいし、キャビネット２０内に搭載される図示しない基板上であってもよい。出力調整部７０は、切替制御部の一部を構成する。また、ＴＶ１０に配置される複数のアンテナ素子６０の集合（アンテナ素子群６５）と出力調整部７０とを併せて、アンテナユニットと呼ぶこともできる。出力調整部７０等の機能については、後述する。
【００２３】
図４および図５は、アンテナ素子の他の例を示している。
図４では、Ｔ字状とした金属箔からなる２つの素子部６１ａ，６１ａを、互いにＴ字の軸の先端が向き合う状態で配置することにより形成されたアンテナ素子６０ａを示している。つまり、上記図３に示したアンテナ素子６０の代わりに、図４に示した形状のアンテナ素子６０ａを、後壁５１の内面等の所定位置に形成するとしてもよい。素子部６１ａ，６１ａからは導線６２ａ，６２ａがそれぞれ延出している。
【００２４】
図５では、略矩形の金属箔６１ｂの中央付近の領域を略８の字状に切り抜くことにより形成したアンテナ素子６０ｂを示している。つまり、上記図３，４に示したアンテナ素子６０，６０ａの代わりに、図５に示した形状のアンテナ素子６０ｂを、後壁５１の内面等の所定位置に形成するとしてもよい。アンテナ素子６０ｂにおいては、略８の字のくびれ部分に対応して互いに向かい合う金属箔の先端部分から、導線６２ｂ，６２ｂがそれぞれ延出している。
なお本明細書においてアンテナ素子６０と記述した部分は、アンテナ素子６０ａまたはアンテナ素子６０ｂと自由に読み替え可能であるものとする。
【００２５】
各アンテナ素子６０を形成する位置は、図２においてアンテナ素子６０を示した位置に限られない。例えば、図６のリアキャビネット５０に示すように、図２で示したアンテナ素子６０の配置位置に加え或いは替えて、左側壁５２や右側壁５３の内面にアンテナ素子６０を配置してもよいし、上壁５４の内面にアンテナ素子６０を配置してもよい。また、アンテナ素子６０の数も限られず、どの壁面にどれだけの数のアンテナ素子６０を形成するかは、基本的に自由である。ただし、下壁５５にアンテナ素子６０を形成することは、必ずしも適切とは言えない。これは、ＴＶ１０のアンテナは、放送信号を良好に受信するためにできるだけ高い位置に存在することが望ましいが、下壁５５はＴＶ１０において床面に最も近い部位であり、放送信号を受信するためのアンテナの位置として相応しいとは言い難いからである。この意味で、リアキャビネット５０の後壁５１と、上壁５４と、左右側壁５２，５３と、の各内面からなる連続する面領域上に略左右対称に複数のアンテナ素子６０を点在させる形態は、本発明にかかるＴＶ１０を実現する上で一つの好ましい例と言える。
【００２６】
また本実施形態では、リアキャビネット５０の内面に複数のアンテナ素子６０を形成する場合、略左右対称な位置関係にある少なくとも１組のアンテナ素子６０については後壁５１に形成するものとする。これは、薄型のＴＶ１０においては、キャビネット２０を構成する各壁面のうち、後壁５１の内面が、アンテナ素子６０を形成するためのスペースを最も多く確保しやすい壁面だからである。また、アンテナ素子６０の素子部６１の面積をより広くしたほうがアンテナ素子６０による受信感度が向上しやすいが、広い後壁５１の内面においては、素子部６１の面積を大きく確保したアンテナ素子６０を形成しやすいからである。
【００２７】
各アンテナ素子６０の方向についても様々な方向を向かせて配置可能であるが、一例として、複数のアンテナ素子６０の少なくとも一部（例えば、略左右対称な位置関係にある少なくとも１組のアンテナ素子６０）については、略水平に配向させて形成する。具体的には、素子部６１の長手方向を、水平方向（左右方向）に配向させてアンテナ素子６０を形成する。つまり、テレビジョン放送信号は、水平偏波であることが多いため、アンテナ素子６０を略水平に配向しておけば、テレビジョン放送信号を良好に受信することができるからである。
【００２８】
図７は、リアキャビネット５０の内面にアンテナ素子６０を形成した例であって、図２，６とは異なる例を示している。図７では、水平方向を向くアンテナ素子６０を形成しつつも、複数のアンテナ素子６０の少なくとも一部を略垂直（上下方向）に配向させて形成している。つまり、ＴＶ１０として水平偏波だけでなく垂直偏波に対しても受信性能を良好なものとするために、略水平に配向するアンテナ素子６０を有しつつ、略垂直に配向するアンテナ素子６０をも有するとしている。
【００２９】
なお、アンテナ素子６０を形成する位置はリアキャビネット５０の内面に限定されるものではない。例えば、リアキャビネット５０の内面以外にも、リアキャビネット５０の外面、フロントキャビネット４０の内面や外面、さらには表示パネル３０の表示面上など、ＴＶ１０を構成する部品の面であって非金属の部分であれば、あらゆる所に形成可能である。
【００３０】
（２）放送信号の受信処理
次に、上記アンテナ素子群６５を用いた受信処理などについて説明する。
本実施形態においては、各アンテナ素子６０はそれぞれ独立して放送信号を受信することが可能であり、それぞれの位置および配向方向に応じてそれぞれ異なる指向性を有している。従って、上述したように複数のアンテナ素子６０を様々な位置や方向で配置することにより、様々な方向に対して受信感度が良好なアンテナ機能を構築することができる。ただし、常時、全方向から放送信号を受信可能とすると、所望の放送局から発信される放送信号以外の方向から発信されるノイズ電波も受信してしまう。そのため、本実施形態では、受像するチャンネルに応じて受信可能とする指向方向を限定するような制御を行うものとしている。
【００３１】
図８は、ＴＶ１０の内部構成の一例をブロック図によって概略的に示している。
ＴＶ１０は、アンテナ素子群６５と出力調整部７０とからなるアンテナユニット８０を備える。出力調整部７０は、各アンテナ素子６０と接続する複数の位相器７１と、各位相器７１と接続する合成器７２と、合成器７２と接続するブースター回路７３、とを含む。また、ＴＶ１０は、アンテナコントロール部１１と、チューナ部１２と、信号再生部１３と、パネル駆動回路１４と、上記表示パネル３０と、を備える。アンテナコントロール部１１や、チューナ部１２や、信号再生部１３等はそれぞれマイクロコンピュータ１９と接続している。なお図８では、図面を簡易化するためにアンテナ素子６０を３つのみ示しているが、これはアンテナ素子群６５を構成するアンテナ素子６０の数が３つのみであるという意味ではない。
【００３２】
マイクロコンピュータ１９においては、ＣＰＵ１９ａ、ＲＯＭ１９ｂ、ＲＡＭ１９ｃ、書き換え可能な不揮発性メモリであるＥＥＰＲＯＭ１９ｄなどがバス１９ｅを介して接続されており、ＣＰＵ１９ａがＲＡＭ１９ｃをワークエリアとしながらＴＶ１０の機能を実現するための制御処理を実行する。この制御処理を実行するプログラムは、予めＲＯＭ１９ｂに格納されており、ＣＰＵ１９ａは、適宜ＲＯＭ１９ｂから所定のプログラムをＲＡＭ１９ｃに読み込みつつ制御処理を実行する。またＣＰＵ１９ａは、ＥＥＰＲＯＭ１９ｄに記憶された各種データを使用して制御処理を実行する。
【００３３】
このような構成において、ユーザが所望のチャンネルの選局指示を行った際のＴＶ１０による処理を説明する。ユーザは、リモートコントロール（リモコン）信号送信機９０を操作することにより、ＴＶ１０に対して所望のチャンネルの選局指示をＴＶ１０に対して送信する。バス１９ｅにはリモートコントロールインターフェース（Ｉ／Ｆ）１９ｆが接続されており、リモコン９０から出力される赤外線明滅信号を入力可能になっている。この赤外線明滅信号はバス１９ｅを介してＣＰＵ１９ａに送出され、ＣＰＵ１９ａは対応する制御処理を実行する。
【００３４】
チャンネルの選局指示を受けたＣＰＵ１９ａは、アンテナコントロール部１１、チューナ部１２、信号再生部１３、を制御することにより、アンテナ素子群６５における指向性を、選局指示にかかるチャンネルの放送信号を受信するために最適な指向性に限定する処理を実行させる。図９は、かかる処理の一例をフローチャートにより示している。
【００３５】
ステップＳ（以下、ステップの表記を省略）２００では、ＣＰＵ１９ａは、各アンテナ素子６０から入力される各放送信号の位相を調整した結果得られる周波信号におけるエラーレートの検出処理を、各アンテナ素子６０からの放送信号に対する位相の調整量を夫々変更して複数回実行する。
【００３６】
この場合、アンテナコントロール部１１は、各位相器７１における位相の調整量を制御する。各位相器７１は、対応するアンテナ素子６０から入力される信号の位相をそれぞれ変更することができる回路であり、アンテナコントロール部１１から出力されるバイアス電圧に応じて位相を遅らすことが可能となっている。アンテナコントロール部１１は、各アンテナ素子６０と一対一で対応する各位相器７１に対する位相の調整量の組み合わせを予め規定したテーブル（位相調整量規定テーブル）Ｔを参照することにより、各位相器７１に対してどれだけ位相を調整させるかを決定するとともに、当該決定した位相の調整量に応じたバイアス電圧を、各位相器７１に対して出力する。
【００３７】
図１０は、位相調整量規定テーブルＴの一例を示している。当該テーブルＴは、例えば、ＥＥＰＲＯＭ１９ｄに予め記憶されている。ここでは説明を簡易にするために、アンテナ素子群６５を構成するアンテナ素子６０の数は４つである場合を想定し、テーブルＴでは４つのアンテナ素子６０に対応する４つの位相器７１をそれぞれ、Ａ，Ｂ，Ｃ，Ｄと表記している。また、位相器Ａ〜Ｄに対する位相の調整量は９０度刻みで規定されているものとする。このようなテーブルＴによれば、一つの位相器に対する位相の調整量は４種類（０度、９０度、１８０度、２７０度）存在するため、位相器Ａ〜Ｄに対する位相の調整量の組み合わせは、４の４乗で計２５６通り存在することになる。つまり図１０では、組合わせ番号１〜２５６に対応させて、位相器Ａ〜Ｄの位相の調整量の組み合わせをそれぞれ規定した様子を示している。むろん、位相の調整は９０度よりも細かい単位で行うとしてもよい。
【００３８】
アンテナコントロール部１１は、位相器Ａ〜Ｄに対する位相の調整量の組み合わせを一つずつテーブルＴから順次読み出すとともに、読み出した一つの組み合わせにおける位相器Ａ〜Ｄそれぞれに対する位相の調整量に応じたバイアス電圧を、位相器Ａ〜Ｄに対して出力する。この結果、位相器Ａ〜Ｄにて位相量がそれぞれ変更された各信号は合成器７２に入力され、合成器７２にて合成される。合成器７２にて合成された信号はブースター回路７３に入力され、増幅される。ブースター回路７３（アンテナユニット８０）からの出力は、チューナ部１２に入力される。
【００３９】
このように、複数のアンテナ素子６０から入力された信号の位相を可変させつつ合成させることにより、アンテナ素子群６５が、各アンテナ素子６０に応じた指向性のみならず任意の方向に指向性を持つようにすることができ、かつ指向性を自由に切り替えることができる。この意味で、アンテナ素子群６５は、複数の可変な指向性を有するアンテナ素子群であると言える。
【００４０】
また、チューナ部１２には、ＣＰＵ１９ａから、上記選局指示にかかるチャンネルの周波数帯域を指示する選局制御信号が入力され、チューナ部１２は、アンテナユニット８０から入力された周波信号から、選局制御信号が指示する周波数帯域の周波信号を抽出することにより、複数のチャンネルの中から一つのチャンネルを選択する。
【００４１】
チューナ部１２の出力は、信号再生部１３に供給される。信号再生部１３においては、デジタルＩ／Ｆ１３ａがチューナ部１２から入力される周波信号をデジタル信号に変換する。次に、復調回路１３ｂが、変換されたデジタル信号に対していわゆるゴーストキャンセルの処理や、伝送路上で発生したビット誤りの訂正を行い、トランスポートストリーム（ＴＳ）出力を得る。また、復調回路１３ｂは、全体のデータに対する上記ビット誤りの割合をエラーレートとして検出する。
上記Ｓ２００においては、このようなエラーレートの検出処理を、上記テーブルＴに規定された位相の調整量の組み合わせ毎に得られる信号毎に行う。
【００４２】
Ｓ４００では、ＣＰＵ１９ａは、上記Ｓ２００において検出された各エラーレートのうち最小のエラーレートが得られた信号に対応する、各位相器に対する位相の調整量の組み合わせを特定する。なお、Ｓ２００，４００では、上記テーブルＴに規定された全ての位相の調整量の組み合わせ毎にエラーレートを検出するのではなく、ある所定値以下のエラーレートが検出された時点でエラーレートの検出処理を終え、その時点で最小のエラーレートに対応する位相の調整量の組み合わせを、特定するとしてもよい。
【００４３】
Ｓ６００では、ＣＰＵ１９ａは、上記Ｓ４００において特定した各位相器に対する位相の調整量の組み合わせに基づいて各位相器の位相を調整させることを、アンテナコントロール部１１に指示し、アンテナコントロール部１１は、当該指示にかかる各位相器に対する位相の調整量に基づいて、各位相器に対するバイアス電圧を生成し、出力する。
【００４４】
この結果、アンテナ素子群６５における指向性が、ユーザが選局したチャンネルにかかる放送信号を受信するために最適な指向性に限定され、その結果、当該放送信号が良好な受信感度にて受信されるとともに、不要なノイズ電波を受信することが極力抑制される。なお、少なくとも出力調整部７０とアンテナコントロール部１１と信号再生部１３の復調回路１３ｂとＣＰＵ１９ａ（マイクロコンピュータ１９）とを含む構成を、本発明における切替制御部と呼ぶことができる。
【００４５】
Ｓ６００の処理の後は、ＴＶ１０において通常の映像再生処理が行なわれる。つまり、信号再生部１３においては、復調回路１３ｂがチューナ部１２から入力された周波信号に基づいてＴＳを取得し、次に、デスクランブル部１３ｃがＴＳに対してデ・スクランブル処理を行って、ＴＳを再生可能なデータ配列に復元する。デ・スクランブル処理が行われたＴＳは、映像信号や音声信号や文字情報等が多重化された形式となっており、デマルチプレックス部１３ｄに供給される。デマルチプレックス部１３ｄでは入力されたデータに対してデ・マルチプレックス処理を行い、多重化を解除する。多重化が解除されると、映像信号および音声信号が所定の方式により圧縮されたＭＰＥＧデータが得られ、ＭＰＥＧデータはＭＰＥＧデコーダ１３ｅに供給され、ＭＰＥＧデコーダ１３ｅにて圧縮解凍処理、つまりＭＰＥＧデコード処理が行われる。ＭＰＥＧデータをＭＰＥＧデコード処理することにより、デジタル映像信号とデジタル音声信号とが生成され、生成されたデジタル映像信号はさらにアナログの映像信号に変換される。圧縮解凍・アナログ変換された映像信号は、信号再生部１３からパネル駆動回路１４に供給され、パネル駆動回路１４によって映像信号が表示パネル３０出力される。ＭＰＥＧデコード処理により生成された音声信号は、Ｄ／Ａ変換されるとともに、図示しない音声出力回路およびスピーカを介して出力される。
【００４６】
上記では、ユーザが所望のチャンネルを選局する度にＳ２００〜６００の処理が実行されるとした。一方、チャンネルをプリセットする段階で、チャンネル毎に上記Ｓ２００〜６００の処理を実行して、各チャンネルそれぞれについて、各位相器に対する位相の調整量の最適な組み合わせを予め特定しておき、以後の各チャンネルの視聴の際には、かかる予め特定された組み合わせの情報に基づいて、各位相器を調整するとしてもよい。ただし、かかる組み合わせの情報を予め特定しておく処理は、ＴＶ１０の設置位置を変更する度に行う必要がある。
【００４７】
また、出力調整部７０がチューナ部１２に出力する信号は、上述した処理以外の手法によって生成するとしてもよい。例えば、出力調整部７０では、各アンテナ素子６０から入力された信号を、各位相器７１を用いて同位相化するとともに、各信号の強度に応じて決定した重み付けの係数を用いて各信号を合成し、当該合成後の信号をチューナ部１２に出力するとしてもよい。或いは、より簡単に、出力調整部７０は各アンテナ素子６０から入力された信号のうち、最も信号強度が高い信号を選択し、当該選択した信号をチューナ部１２に出力するとしてもよい。
【００４８】
（３）まとめ
このように本実施形態によれば、液晶パネルなどの薄型の表示パネルをキャビネット２０に収容するＴＶ１０において、リアキャビネット５０の内面上などＴＶ１０構成する部品の面上の複数箇所に、金属箔などの金属素材を面に沿わせて貼り付け或いは塗り付けて、複数のアンテナ素子６０を形成することにより、複数の可変な指向性を有するアンテナ素子群６５を構築するとした。そして、ユーザが所望するチャンネルが選局されたときには、アンテナ素子群６５による指向性を、当該チャンネルにかかる放送信号を受信するために最適な指向性に限定する。従って、キャビネット２０の表面からの突起物としてのアンテナを備える必要がなく、ＴＶ１０をユーザがどの向きに設置した場合であっても、ＴＶ１０に対して様々な方向から発信されるいずれの放送信号も受信することができ、かつ、そのときユーザによって所望されている放送局からの放送信号だけに限定して感度良く受信することが可能なＴＶ１０提供することができる。
【００４９】
また、各アンテナ素子６０は、リアキャビネット５０の内面上などにおいて、対応する面の形状に沿って金属箔などで形成されているため、その体積は極めて小さく、ＴＶ１０内部において他の部品（例えば、表示パネル３０や、電源回路や、各種信号処理のための回路や、スピーカや、液晶パネルのバックライトを駆動させるためのインバータ回路等）の邪魔になることが無い。従って、各アンテナ素子６０をＴＶ１０内部に複数形成することによって、キャビネット２０の薄型化が阻害されてしまうことは一切なく、キャビネット２０の薄型化に大きく貢献する。また、ＴＶ１０内部において各アンテナ素子６０の存在を殆ど無視できるため、従来のように巨大なアンテナをテレビの筺体内部に収容していた場合と比較して、他の部品についての、取り付け位置や設計変更などの自由度が、格段に向上する。
【図面の簡単な説明】
【００５０】
【図１】テレビジョン（ＴＶ）の外観の一例を示した斜視図。
【図２】リアキャビネットにおけるアンテナ素子の配置の一例を示した正面図。
【図３】アンテナ素子の一例を示した図。
【図４】アンテナ素子の他の一例を示した図。
【図５】アンテナ素子の他の一例を示した図。
【図６】リアキャビネットにおけるアンテナ素子の配置の他の一例を示した斜視図。
【図７】リアキャビネットにおけるアンテナ素子の配置の他の一例を示した正面図。
【図８】ＴＶの内部構成の一例を概略的に示したブロック図。
【図９】指向性を限定する処理の一例を示したフローチャート。
【図１０】位相調整量規定テーブルの一例を示した図。
【符号の説明】
【００５１】
１０…テレビジョン
１１…アンテナコントロール部
１２…チューナ部
１３…信号再生部
１９…マイクロコンピュータ
２０…キャビネット
３０…表示パネル
４０…フロントキャビネット
５０…リアキャビネット
５１…後壁
５２…左側壁
５３…右側壁
５４…上壁
５５…下壁
６０，６０ａ，６０ｂ…アンテナ素子
６１，６１ａ…素子部
６１ｂ…金属箔
６２，６２ａ，６２ｂ…導線
６５…アンテナ素子群
７０…出力調整部
８０…アンテナユニット
９０…リモートコントロール信号送信機
【図１】
2009094865.tif 000003
【図２】
2009094865.tif 000004
【図３】
2009094865.tif 000005
【図４】
2009094865.tif 000006
【図５】
2009094865.tif 000007
【図６】
2009094865.tif 000008
【図７】
2009094865.tif 000009
【図８】
2009094865.tif 000010
【図９】
2009094865.tif 000011
【図１０】
2009094865.tif 000012